(57)【特許請求の範囲】
【請求項１】
電動車両（１）の走行用電動モータ（２１）へ電力供給するバッテリセルを収容するバッテリケース（２０）を含み、電動車両（１）に対して着脱自在である電動車両用電源装置において、
前記バッテリケース（２０）がバッテリセルの収容部より上方に延長される延長部分（１９Ｐ）を有していて、
該延長部分（１９Ｐ）には前記電動車両（１）に搭載された状態において車体前後方向に延在するように向きが設定される掌握部（７８）を含む取っ手（３４）が設けられており、
前記電動車両（１）に取り付けられるロック装置（３２）の可動部分（３２３）と係合する係合部（６２）が、前記取っ手（３４）に対して前記電動車両（１）の前後方向いずれかの側面部に形成されており、
前記電動車両（１）が、
上方に湾曲した形状を有するモノコック形式のメインフレーム（３）と、
前記メインフレーム（３）にスイングアーム（７）の前端を支持する枢軸（５）と、
前記電動車両（１）の前後方向において前記枢軸（５）の前方に配置される前記電動モータ（２１）と、
前記電動モータ（２１）のさらに前方に配置されるパワードライブユニット（３３）とを備えたものであり、
前記電動モータ（２１）と前記パワードライブユニット（３３）との間に配置され、
前記電動モータ（２１）を収容し、前記メインフレーム（３）に支持されるモータケース（２３）と、
前記バッテリケース（２０）の下部に配置されるメス側端子（７３）に結合されるオス側端子（６３）が配置される端子台（２９）と、
前記端子台（２９）を下部に備え、前記バッテリケース（２０）を前記端子台（２９）の上部に配置できるスペースを有するバッテリパックカバー（２８）と、
前記バッテリパックカバー（２８）を前記モータケース（２３）に連結するバッテリパック支持ステー（２７）とを備え、
前記メインフレーム（３）に接合されて、前記ロック装置（３２）を支持するロック装置支持ステー（３０）を備えているとともに、
前記ロック装置支持ステー（３０）が、前記バッテリパックカバー（２８）の上部に結合されるように拡張された拡張部分（３０ａ）を有していることを特徴とする電動車両用電源装置。
【請求項２】
前記ロック装置（３２）の可動部分（３２３）が、前記ロック装置（３２）に対して前記電動車両（１）の前後方向に進退させられるロックピン（３２３）であり、前記係合部（６２）が前記ロックピン（３２３）を受け入れる係合孔（６２）であることを特徴とする請求項１に記載の電動車両用電源装置。
【請求項３】
前記電動車両（１）のメインフレーム（３）が前記バッテリパックカバー（２８）の前方に垂下するアンダフレーム（１０５）を備え、
前記アンダフレーム（１０５）にはスキッドプレート（１０６）が取り付けられることを特徴とする請求項１に記載の電動車両用電源装置。
【請求項４】
前記係合孔（６２）の内周面には、補強部材としてのリング（６２１）が嵌入されていることを特徴とする請求項２に記載の電動車両用電源装置。
【発明の詳細な説明】
【技術分野】
【０００１】
本発明は、電動車両用電源装置に係り、特に、施錠機構（ロック機構）を備えつつ、電源容量の増大と電動車両に対する着脱作業性の向上を図るのに好適な電動車両用電源装置に関する。
【背景技術】
【０００２】
従来、電動車両においては、複数のバッテリセルをバッテリケースに組み入れたバッテリパックが電源装置として搭載される。例えば、特許文献１には、車体に取り付けたバッテリホルダにバッテリパックを搭載した電動自転車において、バッテリパックの上面に設けられた溝部にフック部を設ける一方、シートチューブに固定した取り付け部に前記フック部との係合部を上下方向に出し入れ自在に設けたバッテリパックの取り付け構造およびロック機構が記載されている。特許文献１に記載されている電動自転車では、バッテリパックを持ち運ぶ際に利用されるハンドルつまり取っ手が、車体後方側つまり後輪側に位置するようにしてバッテリパックの上部に設けられている。
【先行技術文献】
【特許文献】
【０００３】
【特許文献１】特開２００３−２３１４９３号公報
【発明の概要】
【発明が解決しようとする課題】
【０００４】
特許文献１に記載された電動自転車は、バッテリパックに設けられた取っ手が、シートチューブから後方に突出している取り付け部とバッテリパックの直後方に位置する後輪との間の狭い場所に配置されているので、取っ手の周辺にスペースの余裕がない。したがって、バッテリパックの着脱時には、取り付け部と後輪との間の狭いスペースに手を出し入れしなくてはならないので、操作性が良くない。
【０００５】
また、取り付け部と係合するフック部がバッテリパックの本体側つまりバッテリセルを収容しているバッテリケース側に設けられるので、バッテリセルの収容容積が減り、バッテリ容量が制限されるという課題がある。
【０００６】
本発明の目的は、上記課題を解決し、バッテリパックを車体にロックする機構を備えつつ、バッテリパックの実質的な容量の増大と車体に対する着脱作業性の向上を図るのに好適な電動車両用電源装置を提供することにある。
【課題を解決するための手段】
【０００７】
前記目的を達成するために、本発明は、電動車両（１）の走行用電動モータ（２１）へ電力供給するバッテリセルを収容するバッテリケース（２０）を含み、電動車両（１）に対して着脱自在である電源装置において、前記バッテリケース（２０）がバッテリセルの収容部より上方に延長される延長部分（１９Ｐ）を有していて、該延長部分（１９Ｐ）には前記電動車両（１）に搭載された状態において車体前後方向に延在するように向きが設定される掌握部（７８）を含む取っ手（３４）が設けられており、  前記電動車両（１）に取り付けられるロック装置（３２）の可動部分（３２３）と係合する係合部（６２）が、前記取っ手（３４）に対して前記電動車両（１）の前後方向いずれかの側面部に形成されている点に第１の特徴がある。
【０００８】
また、本発明は、前記ロック装置（３２）の可動部分（３２３）が、前記ロック装置（３２）に対して前記電動車両（１）の前後方向に進退させられるロックピン（３２３）であり、前記係合部（６２）が前記ロックピン（３２３）を受け入れる係合孔（６２）である点に第２の特徴がある。
【０００９】
また、本発明は、前記電動車両（１）が、上方に湾曲した形状を有するモノコック形式のメインフレーム（３）と、前記メインフレーム（３）にスイングアーム（７）の前端を支持する枢軸（５）と、前記電動車両（１）の前後方向において前記枢軸（５）の前方に配置される前記電動モータ（２１）と、前記電動モータ（２１）のさらに前方に配置されるパワードライブユニット（３３）とを備えたものであり、前記電動モータ（２１）と前記パワードライブユニット（３３）との間に電源装置を配置した点に第３の特徴がある。
【００１０】
また、本発明は、前記電動モータ（２１）を収容し、前記メインフレーム（３）に支持されるモータケース（２３）と、前記バッテリケース（２０）の下部に配置されるメス側端子（７３）に結合されるオス側端子（６３）が配置される端子台（２９）と、前記端子台（２９）を下部に備え、前記バッテリケース（２０）を前記端子台（２９）の上部に配置できるスペースを有するバッテリパックカバー（２８）と、前記バッテリパックカバー（２８）を前記モータケース（２３）に連結するバッテリパック支持ステー（２７）とを備えている点に第４の特徴がある。
【００１１】
また、本発明は、前記バッテリケース（２０）が前記電動車両（１）に装着された状態において、前記延長部分（１９Ｐ）が前記バッテリケース（２０）に対して車体左右方向いずれかに偏倚して設けられており、前記延長部分（１９Ｐ）の少なくとも上方の一部分が、前記メインフレーム（３）のうち前記バッテリケース（２０）の上方に位置する部分に車体側面視で重なる位置にまで延長されている点に第５の特徴がある。
【００１２】
また、本発明は、前記メインフレーム（３）に接合されて、前記ロック装置（３２）を支持するロック装置支持ステー（３０）を備えているとともに、前記ロック装置支持ステー（３０）が、前記バッテリパックカバー（２８）の上部に結合されるように拡張された拡張部分（３０ａ）を有している点に第６の特徴がある。
【００１３】
また、本発明は、前記電動車両（１）のメインフレーム（３）が前記バッテリパックカバー（２８）の前方に垂下するアンダフレーム（１０５）を備え、前記アンダフレーム（１０５）にはスキッドプレート（１０６）が取り付けられる点に第７の特徴がある。
【００１４】
さらに、本発明は、前記係合孔（６２）の内周面には、補強部材としてのリング（６２１）が嵌入されている点に第８の特徴がある。
【発明の効果】
【００１５】
第１、２の特徴を有する本発明によれば、バッテリセルの収容部よりも上方に延長される延長部分に、車体前後方向に延びた掌握部を有する取っ手を設け、その取っ手にロック装置の可動部（ロックピン）が係合する係合部（係合孔）を設けたので、バッテリセルの収容部分の容量を小さくすることなく電源装置を車体側のロック装置に係合させてロックを行うことができるし、ロックピンを係合させる係合孔は掌握部と干渉しないように取っ手の側面部に設けたので、バッテリパックの取り扱いが容易である。
【００１６】
第３の特徴を有する本発明によれば、モノコック形式メインフレームにおけるスイングアーム枢支部の前に電動モータを配置し、かつ、電動モータの前側に電源装置を、電源装置の前側にパワードライブユニット（ＰＤＵ）をそれぞれ配置して電動車両におけるマスの集中化を図ることができる。
【００１７】
第４の特徴を有する本発明によれば、バッテリケースをバッテリパックカバーに収納することにより、バッテリケース下部のメス側端子とバッテリパックカバー内下部の端子台に設けられるオス側端子とを結合させることができる。
【００１８】
第５の特徴を有する本発明によれば、バッテリケースの上方延長部分を車体幅方向に偏倚させて、該延長部分を車体のメインフレームと重なる位置まで拡張したので、バッテリケース内のバッテリ収容スペースを広くとることができる。
【００１９】
第６の特徴を有する本発明によれば、ロック支持ステーを利用してバッテリパックカバーをメインフレームに連結して、バッテリパックカバーを、下部に加えて上部でも固定できる。
【００２０】
第７の特徴を有する本発明によれば、スキッドプレートによりバッテリパックやモータケースを、飛散してくる小石や砂等から保護することができる。
【００２１】
第８の特徴を有する本発明によれば、ロック装置の可動部分を受け入れる係合孔を補強できるので、係合孔を形成する部材つまりバッテリケースを樹脂材等、軽量材を使用しても高い強度を維持することができる。
【図面の簡単な説明】
【００２２】
【図１】本発明の一実施形態に係る電動車両制御装置を有する電動車両の要部右側面図である。
【図２】本発明の一実施形態に係る電動車両制御装置を有する電動車両の要部左側面図である。
【図３】電動車両の右前方視における要部斜視図である。
【図４】ロック装置を車体右上後方から見た斜視図である。
【図５】ロック装置のロックピンを通る横断面を車体右側から見た断面図である。
【図６】バッテリパックカバーに収容されたバッテリパックを車体右上後方から見た斜視図である。
【図７】バッテリパックカバーに固定された端子台を車体右上後方から、見た斜視図である。
【図８】絶縁板を嵌め込んだ端子台を車体右上後方から見た斜視図である。
【図９】端子台を車体左下後方から見た斜視図である。
【図１０】バッテリパックを車体左上後方から見た斜視図である。
【図１１】バッテリパックを車体左下前方から見た斜視図である。
【図１２】バッテリケースの前部分を車幅方向中央側からみた平面図である。
【図１３】バッテリケースの後部分を車幅方向中央側からみた平面図である。
【図１４】バッテリケースを車体左側から見た図である。
【図１５】バッテリケースの要部拡大斜視図である。
【図１６】バッテリケースの部分を左下前方からみた斜視図である。
【図１７】ヒューズとメス側端子および絶縁ブロックが装着された状態の部分を左下前方からみた斜視図である。
【図１８Ａ】バッテリパックをバッテリパックカバーに装着する際のバッテリパックと端子台との位置関係を示す図である。
【図１８Ｂ】バッテリパックをバッテリパックカバーに装着する際のバッテリパックと端子台との位置関係を示す図である。
【図１８Ｃ】バッテリパックをバッテリパックカバーに装着する際のバッテリパックと端子台との位置関係を示す図である。
【図１８Ｄ】バッテリパックをバッテリパックカバーに装着する際のバッテリパックと端子台との位置関係を示す図である。
【図１９Ａ】図１８Ａに対応するバッテリパックカバーおよび端子台とバッテリパックとの位置関係を示す車体右上後方から見た斜視図である。
【図１９Ｂ】図１８Ｂに対応するバッテリパックカバーおよび端子台とバッテリパックとの位置関係を示す車体右上後方から見た斜視図である。
【図１９Ｃ】図１８Ｃに対応するバッテリパックカバーおよび端子台とバッテリパックとの位置関係を示す車体右上後方から見た斜視図である。
【図１９Ｄ】図１８Ｄに対応するバッテリパックカバーおよび端子台とバッテリパックとの位置関係を示す車体右上後方から見た斜視図である。
【図２０】オス側端子ユニットの正面図（車体右側から見た図）である。
【図２１】オス側端子ユニットの斜視図（車体後方右下側から見た図）である。
【図２２】オス側端子ユニットの平面図である。
【図２３】オス側端子ユニットの側面図（車体前方から見た図）である。
【図２４】メス側端子を収容している絶縁ブロック７４を車体の右下前方から見た斜視図である。
【図２５】メス側端子を収容している絶縁ブロックを左上後方から見た斜視図である、
【図２６】絶縁ブロックをメス側端子の接触部における車体左側から見た断面図である。
【図２７Ａ】オス側端子とメス側端子との位置関係を示す車体後方から見た断面図である。
【図２７Ｂ】オス側端子とメス側端子との位置関係を示す車体後方から見た断面図である。
【図２７Ｃ】オス側端子とメス側端子との位置関係を示す車体後方から見た断面図である。
【図２７Ｄ】オス側端子とメス側端子との位置関係を示す車体後方から見た断面図である。
【図２７Ｅ】オス側端子とメス側端子との位置関係を示す車体後方から見た断面図である。
【図２８】図２７Ｅの要部拡大図を示す。
【図２９】アンダフレームを設けた自動二輪車の要部右側面図である。
【発明を実施するための形態】
【００２３】
以下、図面を参照して本発明の好ましい実施の形態について詳細に説明する。図１は、本発明の一実施形態に係る電動車両用電源装置を有する電動車両の要部右側面図、図２は同左側面図、図３は電動車両の右前方視における要部斜視図である。乗員シートおよびカウル等は要部構成の理解を容易にするため図示を省略している。以下に参照する各図において、電動車両１の前方は符号Ｆｒで、後方は符号Ｒｒで、左方向は符号Ｌ、で、右方向は符号Ｒで、上方向は符号Ｕｐでそれぞれ示し、特に定義しない場合は、本明細書中における向きの記載は、電動車両における向きである。
【００２４】
電動車両１は電動モータを駆動源とするオフロードタイプの自動二輪車である（以下、「電動車両」は「自動二輪車」として説明する。自動二輪車１はヘッドパイプ２に前端部が接合されて下後方に延在するメインフレーム３を有する。メインフレーム３は、上側に湾曲した単一のパイプからなるモノコック構造である。メインフレーム３の材質は任意であり、ヘッドパイプ２と一体成型してあってもよい。
【００２５】
メインフレーム３の下後部には、車幅方向に延在する枢軸５および枢軸６を備えたピボットプレート４が接合される。枢軸５および枢軸６のうち、上方に位置する枢軸５は、左右一対のスイングアーム７を上下揺動自在に支持する。枢軸５より下方に位置する枢軸６は、電動二輪車１の右側に配置されるリヤブレーキペダル８を上下揺動自在に支持する。ピボットプレート４の下端部には電動二輪車１の左側に配置されるサイドスタンド（図示せず）を枢支することができる。
【００２６】
メインフレーム３の湾曲している中間部には左右一対のシートフレーム９およびクッション前部支持ブラケット１０が接合される。クッション前部支持ブラケット１０はステー１２で補強される。シートフレーム９は前端部がメインフレーム３に接合されて、車体後方に延在する。メインフレーム３とシートフレーム９とにそれぞれに前後端が接合されたサブフレーム１１が設けられ、該サブフレーム１１によってシートフレーム９を下方から支持して補強している。
【００２７】
左右一対のスイングアーム７の後部にはそれぞれ後輪支持プレート１３が接合され、さらに後輪支持プレート１３の上部には車体前方に延在する左右一対のサブパイプ１４の後端部が接合される。サブパイプ１４とスイングアーム７との間には両者を連結する連結チューブ１５が設けられる。サブパイプ１４の上部にはクッション支持後部ブラケット１６が接合される。クッション支持前部ブラケット１０とクッション支持後部ブラケット１６とによって枢支されてリヤクッション１７が設けられる。シートフレーム９およびメインフレーム３の前部分に亘って、図示しない乗員シートが装着される。
【００２８】
メインフレーム３には駆動装置１８および駆動装置１８の前方に位置した電源装置であるバッテリパック１９が設けられる。バッテリパック１９はバッテリケース２０に複数のバッテリセル（図示せず）を収容してなる。駆動装置１８は電動モータ２１と減速機２２とからなり、駆動装置ケース（以下、「モータケース」という）２３によって覆われる。なお、駆動装置１８はモータケース２３で覆われるので、点線で描写すべきであるが、繁雑さを避けるため、および形状のよりよい理解のため実線で描写している。モータケース２３は、メインフレーム３に接合されたハンガブラケット２４、２５とピボットプレート４とに連結されて３箇所で懸架される。バッテリパック１９は、モータケース２３の下部に連結されてモータケース２３より前方に延在するバッテリパック保持ステー２７と、バッテリパック保持ステー２７に固定されるバッテリパックカバー２８と、バッテリパックカバー２８の下部に固定される端子台２９とからなる。
【００２９】
メインフレーム３の前部には下方に張り出したロック装置支持ステー３０とＰＤＵ用ブラケット３１とが接合される。バッテリパック１９の直前方に位置しているロック装置支持ステー３０にはロック装置３２が取り付けられ、ヘッドパイプ２寄りに位置するＰＤＵ用ブラケット３１にはＰＤＵ（パワードライブユニット）３３が取り付けられる。ＰＤＵ３３はバッテリパック１９から電力を供給されて、バッテリ情報（バッテリ残量等）と、自動二輪車１に設けられる各種のスイッチやセンサ等の検知信号等とに応じて電動モータ２１のデジタル位相制御を行う。
【００３０】
バッテリパック１９のバッテリケース２０の車体前方側上部にはバッテリパック１９の持ち運びに使用される取っ手３４が設けられており、取っ手３４にはロック装置３２から突出するロックピンが係合するロックピン係合部（ロックピンおよびロックピン係合部の詳細は後述する）が形成される。
【００３１】
減速機２２の出力軸３５には駆動側スプロケット３６が連結される。後輪支持プレート１３には後輪軸３７によって駆動輪である後輪ＷＲが支持され、後輪軸３７には従動側スプロケット３８が連結される。駆動側スプロケット３６と従動側スプロケット３８との間には駆動チェーン３９が掛け渡され、減速機２２で減速された電動モータ２１の動力が従動側スプロケット３８を介して後輪軸３７に伝達される。駆動チェーン３９には、その上部を覆うチェーンカバー６１（図１参照）が設けられる。なお、後輪軸３７と従動側スプロケット３８とは、自動二輪車１の前進方向にだけ電動モータ２１の動力が後輪ＷＲに伝達されるように一方向クラッチを介在させて連結される。
【００３２】
乗員が足を乗せるステップ４０、４１を左右両端に取り付けたステップバー４２が車幅方向に延在している。ステップバー４２はブラケット４３を介してモータケース２３の底面に取り付けられる。枢軸６に支持されるリヤブレーキペダル８は、乗員が足で操作する前部アーム部分８０１と、後輪軸３７に設けられるリヤブレーキ（図示せず）の作動アーム４４にブレーキケーブル４５で連結される後部アーム部分８０２とからなる。
【００３３】
ヘッドパイプ２には、該ヘッドパイプ２内を上下方向に貫通して延在する図示しないステアリングシャフトが回動自在に支持され、ステアリングシャフトの上下にそれぞれ結合されるトップブリッジ４９およびボトムブリッジ５０には、上下に延在する左右一対のフロントフォーク５１が結合される。フロントフォーク５１の下端には車幅方向に延在する前輪軸５２が支持され、前輪軸５２に前輪ＷＦが回転自在に支持される。フロントフォーク５１には前輪ＷＦの上方に位置するフロントフェンダ５３が取り付けられる。
【００３４】
トップブリッジ４９に支持されるステアリングハンドル４８にはアクセルグリップ５５が設けられる。アクセルグリップ５５にはアクセルケーブル５６が連結され、アクセルグリップ５５の回動量（アクセル開度）がアクセルケーブル５６を介して、モータケース２３内に設けられるアクセル開度センサ（ＡＰＳ）５７に伝達される。
【００３５】
図４はロック装置３２を車体の右上後方から見た斜視図であり、図５はロック装置３２のロックピンを通る横断面を車体右側から見た断面図である。ロック装置３２は円筒状のシリンダ部３２１と、シリンダ部３２１の側部（車体後方側）に突出したロックピンガイド３２２と、ロックピンガイド３２２を貫通してシリンダ部３２１に直交する方向に延在する可動部であるロックピン３２３とからなる。
【００３６】
シリンダ部３２１の右端部にはキー孔３２４が形成され、このキー孔３２４に挿入されるキー（図示せず）の回動方向に連動して、電源オン方向（例えば時計回り方向）にキーを回動するとロックピン３２３がシリンダ部３２１から突出し、キーを電源オフ側に回動するとロックピン３２３がシリンダ部３２１側に後退するように構成する。
【００３７】
キーの回転動作をロックピン３２３の前後方向動作に変換する機構は、図５に示すように、シリンダ部３２１と同軸で内筒ディスク３２５を設け、この内筒３２５に設けた偏心軸３２６をロックピン３２３の端部（シリンダ内部に突出している環状部分）３２７に係合させることにより、内筒ディスク３２５の回転中心３２ｃに対する偏心軸３２６の偏心量に応じてロックピン３２３を突出・後退させることができる。ロック装置３２は、突出されたロックピン３２３が、バッテリケース２０に形成される係合孔６２に遊嵌されるように位置決めしてロック装置支持ステー３０に取り付ける。ロックピン３２３の進退機構は図５に示した構造に限定されず、周知のもので代替できる。
【００３８】
バッテリケース２０は軽量化や製造の容易性から樹脂製であるのが好ましいので、係合孔６２を補強するため、係合孔６２の内周に例えば金属からなる補強リング６２１を嵌め込むことができる。
【００３９】
図６はバッテリパックカバー２８に収容されたバッテリパック１９を自動二輪車１の右上後方から見た斜視図である。バッテリパックカバー２８は略直方体を構成する６面のうち１面（車体右側の面）を除去した形状になっており、バッテリパック１９の車体左側に位置する略半分１９Ｌだけを覆うように深さＤ（車体左右方向寸法）が設定される。したがって、バッテリパック１９の車体右側の略半分１９Ｒはバッテリパックカバー２８で覆われてはおらず、外部からバッテリパック１９の右側外観を視認できる。
【００４０】
バッテリパックカバー２８の底部には端子台２９が固定される。端子台２９には、バッテリパック１９の右側部分つまりバッテリパックカバー２８で覆われていない右半分１９Ｒの前後面下部でバッテリパック１９側の前後面下部に係合するバッテリパック支持部２９５が設けられる。
【００４１】
バッテリパック１９の右半分１９Ｒの上部はバッテリパックカバー２８の上端部よりも上側に延びており、この上側延長部分１９Ｐには、車体左側部分から右側方向にへこんでいる凹部が設けられ、この凹部を形成している上壁が人の指先が引っ掛かる取っ手３４の掌握部を構成している。凹部および凹部の上壁である掌握部は図１０、図１３等を参照して後述する。
【００４２】
バッテリパック１９のバッテリケース２０は、車体前後方向に２分割される前部分２０Ｆと後部分２０Ｒｒとからなり、上側延長部分１９Ｐを構成する前部分２０Ｆの前側面にはロック装置３２から突出したロックピン３２３が遊嵌される係合孔６２が形成される。係合孔６２は、バッテリケース２０のうち、取っ手３４の掌握部（後述する）に直交する前部分２０Ｆの壁面に穿たれる。
【００４３】
図７はバッテリパックカバー２８に固定された端子台２９の斜視図であり、図８は絶縁板６４を嵌め込んだ端子台２９を車体右上後方から見た斜視図、図９は端子台２９を車体左下後方から見た斜視図である。端子台２９は車体前後方向に沿って１列に配置された複数のオス側端子６３を装着した絶縁板６４が嵌め込まれる開口２９１を備えるベース２９２と、ベース２９２の上に突出して車体左側端部で車体前後方向に振り分けて配置される取り付け部２９３、２９４と、ベース２９２に対して車体右側に延在するバッテリパック支持部２９５とを有する。開口２９１とバッテリパック支持部２９５との間において、ベース２９２上にはバッテリケース２０の底面に係合する突起部２９ａが形成される。
【００４４】
取り付け部２９３、２９４はバッテリパックカバー２８の車体左側面に形成されるボス２８１、２８２にそれぞれ覆い被さる内周面２９ｂ、２９ｃを備える（図９参照）。取り付け部２９３、２９４には、車体幅方向に穿たれたボルト通し孔２９６、２９７がそれぞれ形成され、車体右側からこのボルト孔２９６、２９７を通すことができるボルトあるいは止めネジ（図示せず）をバッテリパックカバー２８から突出しているボス２８１、２８２に形成されるネジ孔（図示せず）にそれぞれ螺合させることでバッテリパックカバー２８に端子台２９を固定することができる。
【００４５】
開口２９１の車体右側縁の車体前後方向両側には、ベース２９２の上面に沿って上部ガイド２９８、２９８が張り出しているとともに、開口２９１の車体右側縁には、上部ガイド２９８、２９８の間でベース２９１の下面に沿って張り出している下部ガイド２９９が設けられる。一方、開口２９１の車体左側縁の車体前後方向両側には、ベース２９１の下面に沿って下部ガイド３０１が張り出し、開口２９１の車体左側縁の車体前後方向中央部には、ベース２９２の上面からストッパ３００が突出して設けられる。
【００４６】
オス側端子６３には駆動装置１８側に引き出されるハーネス６５が接続される。絶縁板６４をベース２９２に取り付ける場合、ハーネス６５を、開口２９１を通して端子台２９のベース２９２の上側からベース２９２の下側に通す。そして、絶縁板６４の一つの縁（車体右側の縁）を、上部ガイド２９８、２９８と下部ガイド２９９との間に挟み込みながら、絶縁板６４の他の縁（車体左側の縁）の下面を下部ガイド３０１に当接させ、ストッパ３００を上面に係合させて固定する。
【００４７】
バッテリ支持部２９５は、車体前後方向に整列された二つの端部係合凸部５９、５９と、端部係合凸部５９、５９の間に位置する中間係合凸部６６とを備える。中央係合凸部６６は端部係合凸部５９、５９側に張り出して、後述するようにバッテリケース２０に係合する円柱状のストッパ６６Ｅを含む頂部６６Ｐを備える。端部係合凸部５９、５９と中央係合凸部６６との間に形成されているスペースにはバッテリケース２０の底部に形成されるリブ（後述する）が挿入される。
【００４８】
端部係合凸部５９、５９と中央係合凸部６６の頂部５９Ｐと６６Ｐの上部形状はいずれも同一形状の部分円であり、バッテリパック１９の前後方向で整列している。端部係合凸部５９、５９と中間係合凸部６６の車体右側裾部は棚６７を形成していて、端部係合凸部５９、５９と中間係合凸部６６とを互いに下部で連結している。棚６７は、後述するように、バッテリパック１９をバッテリパックカバー２８に対して着脱する時に仮置きできる台を提供する。
【００４９】
図１０はバッテリパック１９を車体左上後方から見た斜視図、図１１はバッテリパック１９を車体左下前方から見た斜視図である。図１０、図１１において、バッテリケース２０の前部分２０Ｆと後部分２０Ｒｒは互いにボルトまたは止めネジによって結合されて密封された筐体としてのバッテリケース２０を形成する。
【００５０】
バッテリケース２０のうち、前部分２０Ｆの側面（車載時には車体前側に位置する面）の周縁には、ボルトまたは止めネジを通すための逃げ部としての切り欠き６８が複数箇所に形成される。また、切り欠き６８と対応する後部分２９Ｒｒの周縁には前部分２９Ｆ側から通したボルトまたは止めネジが螺合するネジ孔９０（図１３を参照して後述する）が形成される。ネジ孔９０を必要以上に長くしないために後部分２０Ｒｒの周囲には、切り欠き６９が形成される。ネジ孔はこの切り欠き６９を除いた前部分２０Ｆ寄りの部分に形成される。
【００５１】
バッテリケース２０の下部隅部２０１、２０２は、端子台２９に形成される取り付け部２９３、２９４をそれぞれ回避するため切り欠かれた凹部となっている。また、バッテリケースの下部側面（車載時には車体左右側に位置する面）には、バッテリ支持部２９５の端部係合凸部５９、５９に適合する端部係合凹部６０と、中央係合凸部６６に適合する中央係合凹部７０が形成される。端部係合凹部６０と中央係合凹部７０とはバッテリケース２０の底部に突出しているリブ７１、７２によって区画される。リブ７１、７２はバッテリケース２０の前部分２０Ｆと後部分２０Ｒｒとの突き合わせ面２０Ｊに平行であって、車体幅方向の途中で突き合わせ面２０Ｊに直交する方向に屈曲して段差を形成している２つの部分７１１、７１２と７２１、７２２とをそれぞれ有している。
【００５２】
リブ７１の部分７１１、７１２とリブ７２の部分７２１、７２２のうち、外側に位置する部分７１１、７２１は端部係合凸部５９、５９の内側面に当接し、内側に位置する部分７１２、７２２は中央係合凸部６６のうち、頂部６６Ｐの下方に延びる外側に当接して、端子台２９２に対するバッテリパック１９の車体前後方向のガイドとして機能する。リブ７１の部分７１１と７１２とをつなぐ連結部７１３と、部分７２１と７２２とをつなぐ連結部７２３とが設けられる。連結部７１３、７２３はいずれもバッテリパック１９の側面視で弧状をなしており、その内周面（バッテリパック１９の上側寄りに位置している面）は、バッテリパック１９を端子台２９に搭載した位置で中央係合凸部６６のストッパ６６Ｅと係合する。
【００５３】
バッテリケース２０の底部には端子台２９に取り付けられるオス側端子６３が差し込まれるメス側端子７３（図２４〜図２６等に関して後述）を備える絶縁ブロック７４が取り付けられる。絶縁ブロック７４は、バッテリケース２０の前部分２０Ｆと後部分２０Ｒｒとによって挟持されており、ボルトや止めネジなどの締結部材は使用していない。挟持の態様は後述する。バッテリケース２０の、前部分２０Ｆの底部には端子台２９２の上に形成される突起部２９ａが嵌合する切り欠き７５が設けられる。
【００５４】
図１２はバッテリケース２０の前部分２０Ｆを車幅方向中央側からみた平面図、図１３はバッテリケース２０の後部分２０Ｒｒを車幅方向中央側からみた平面図、図１４はバッテリケース２０を車体左側から見た図である。バッテリケース２０の前部分２０Ｆおよび後部分２０Ｒｒは、互いに組み合わさった時に、それぞれ上室２０Ｕ、中間室２０Ｍ、および下室２０Ｂを形成する（図１４参照）。なお、図１３では下室２０Ｂにメス側端子７３を収容した絶縁ブロック７４が保持されている状態を示す。
【００５５】
上室２０Ｕは、前壁７６および後壁７７と、取っ手３４の掌握部となる上壁７８と、上壁７８から下に延びる縦壁７９と、中間室２０Ｍの上壁８０とで囲まれて一方側（車幅方向左側）が開放された凹部として形成される。掌握部つまり上壁７８はバッテリパック１９の前後方向（車体前後方向と略同一方向）に延在し、人の指先を引っ掛けるための部分円柱状の凸部７８１が下方に膨出している。ロックピンが嵌合する係合孔６２は、前部分２０Ｆの、掌握部７８に直交する前壁７６に、掌握部７８からずれた位置に形成される。
【００５６】
中間室２０Ｍは複数のバッテリセル（図示せず）を収容する部屋であり、前壁７６および後壁７７と、上壁８０、左右壁８２、８３および下壁（下室２０Ｂの上壁と共通）８４とで囲まれている。
【００５７】
下室２０Ｂは、前壁７６および後壁７７と、上壁（中間室２０Ｍの下壁と共通）８４と下壁８５と左壁８６と右壁８７とで囲まれ、メス側端子７３および絶縁ブロック７４と、ヒューズ８８とを収容する部屋を形成する。ヒューズ８８は図１７に関して後述する。
【００５８】
バッテリケース２０の前部分２０Ｆにはボルトまたは止めネジを通すことができるネジ通し孔８９が設けられ、バッテリケース２０の後部分Ｒｒには、ネジ通し孔８９に対応する位置にネジ孔９０が形成される。また、バッテリケース２０の前部分２０Ｆおよび後部分２０Ｒｒの何れか一方側（ここでは前部分２０Ｆとする）に位置合わせ用のピン９１が立設され、他方側（ここでは後部分２０Ｒｒとする）には、ピン９１が嵌合されるピン孔９２が形成される。
【００５９】
中間室２０Ｍを形成する壁部８０、８２、８３、および８４には、前部分２０Ｆと後部分２０Ｒｒとの会合面２０Ｊにパッキンまたはシールを配置するのがよい。
【００６０】
下室２０Ｂを形成するバッテリケース２０の前部分２０Ｆには、上壁８４から下室２０Ｂに張り出したリブ９４ａと、左壁８６から下室２０Ｂに張り出したリブ９５ａと、下壁８５から下室２０Ｂに張り出したリブ９６ａと、前壁７６から下室２０Ｂに張り出したリブ９７ａとが形成される。
【００６１】
一方、下室２０Ｂを形成するバッテリケース２０の後部分２０Ｒｒには、上壁８４から下室２０Ｂに張り出したリブ９４ｂと、左壁８６から下室２０Ｂに張り出したリブ９５ｂと、下壁８５から下室２０Ｂに張り出したリブ９６ｂと、後壁７７から下室２０Ｂに張り出したリブ９７ｂとを備える。リブ９５ａと９５ｂ、９６ａと９６ｂ、９７ａと９７ｂは、それぞれ前部分２０Ｆと後部分２０Ｒｒとを組み合わせた状態で、互いに対向する位置にあるように設定され、メス側端子７３および絶縁ブロック７４（後述する）を協働して保持する。
【００６２】
さらに、下室２０Ｂを形成するバッテリケース２０の前部分２０Ｆには、前壁７６から突出したボス９８ａが形成される。一方、バッテリケース２０の後部分２０Ｒｒにおいて下室２０Ｂを形成する上壁８４および後壁７７から下室１０Ｂに張り出して、リブ９８ｂ、９９ｂ、１００ｂが設けられる。リブ９８ｂ、９９ｂ、１００ｂはそれぞれ前部分２０Ｆと後部分Ｒｒとを組み合わせた状態で、ボス９８ａと協働してヒューズ９９（後述する）を保持する。
【００６３】
下室２０Ｂの下壁８５を形成しているバッテリケース２０の前部分２０Ｆと後部分２０Ｒｒには、絶縁ブロック７４の端部を受け入れる切り欠き１０１、１０２がそれぞれ形成される。切り欠き１０１、１０２は前部分２０Ｆと後部分２０Ｒｒとが互いに組み合わされたときに略矩形の開口１０３（図１５参照）を形成し、絶縁ブロック７４の端部を受け入れて保持する。
【００６４】
図１５はバッテリケース２０の要部拡大図である。図１５に示すように、前部分２０Ｆと後部分２０Ｒｒの合わせ面２０Ｊにそれぞれ形成された切り欠き１０１、１０２によってバッテリケース２０の底部に開口１０３が形成される。
【００６５】
図１６はバッテリケース２０の後部分２０Ｒｒの下部拡大斜視図、図１７はヒューズ９９とメス側端子７３および絶縁ブロック７４が装着された状態の後部分２０Ｒｒの下部拡大斜視図である。図１６から理解できるように、リブ９４ｂ、９５ｂ、および９６ｂは部分円筒状であり、リブ９７ｂは車体装着状態において車体前後方向視でクロス状をなす。
【００６６】
一方、リブ９８ｂおよび９９ｂは車体装着状態で車体前後方向に延在し、互いに平行に配置される。リブ１００ｂはリブ９８ｂ、９９ｂに平行で、かつリブ９８ｂ、９９ｂよりも丈（車体装着状態で車体前後方向に沿った寸法）が短い部分ｘ１と、部分ｘ１よりも丈が長くて、かつ車体前後方向視でＴ字状になった部分ｘ２とからなる。
【００６７】
図１７に示す取り付け状態では、ヒューズ９９は、リブ１００ｂの部分ｘ１に着座し、リブ９８ｂおよび９９ｂとリブ１００ｂのＴ字状部分ｘ２とで挟持される。また、絶縁ブロック７４は図１６に示したリブ９７ｂ上に着座し、リブ９４ｂ、９５ｂ、および９６ｂである部分円筒によって挟持される。
【００６８】
絶縁ブロック７４は、メス側端子７３を保持するとともに、メス側端子７３からヒューズ９９側に引き出されるハーネス１０５（電線７７１、７７２と信号線７７３とからなる）を収容する。この絶縁ブロック７４は、バッテリケース２０の下壁８５に設けられた切り欠き１０１、１０２が合わさって形成される開口１０３の周縁を下室２０Ｂの内側および外側から挟持するフランジ部７４１、７４２を備える。絶縁ブロック７４の、フランジ部７４１、７４２で挟まれた部分７４３（図２５参照）の外周形状は開口１０３の内周に嵌合するように寸法が設定される。
【００６９】
このように、ヒューズ９９および絶縁ブロック７４はボルトや止めネジ等の締結部品を用いることなく、バッテリケース２０の前部分２０Ｆと後部分Ｒｒとを組み付けることにより、同時にバッテリケース２０に保持される。
【００７０】
次に、バッテリパック１９をバッテリパックカバー２８に装着する際の手順および動作を説明する。図１８Ａ〜１８Ｄはバッテリパック１９をバッテリパックカバー２８に装着する際のバッテリパック１９と端子台２９との位置関係を示す図であり、図１９Ａ〜１９Ｄは図１８Ａ〜１８Ｄに対応するバッテリパックカバー２８および端子台２９とバッテリパック１９との位置関係を示す車体右上後方から見た斜視図である。バッテリパック１９の着脱操作時は、自動二輪車１はサイドスタンドを使用して左傾斜姿勢で自立させておくので、端子台２９は直立していないで例えば１２度程度左側に傾斜しているが、図１８Ａ〜１８Ｄや図１９Ａ〜図１９Ｄでは簡単のため直立している図を示している。
【００７１】
図１８Ａ〜１８Ｄにおいて、端部係合凸部５９、５９と中央係合凸部６６からなるバッテリパック支持部２９５は、その頂部２９Ｐ（頂部５９Ｐ、６６Ｐからなる）から車体右側に向けて下り傾斜に形成された傾斜面５９ｄ、６６ｄを有している。傾斜面５９ｄ、６６ｄはベース２９１に対して角度α（例えば角度αは３５度）を有している。
【００７２】
まず、図１８Ａ、１９Ａにおいて、バッテリパック１９を端子台２９に対して車体右上側から近付ける。バッテリパック１９は取っ手３４を右手で掴み、取っ手３４が形成されている側の部分１９Ｒを左手で支えて操作するのがよい。このとき、バッテリパック１９は、バッテリケース２０の底部に設けられたリブ７１およびリブ７２によって形成される端部係合凹部６０と中央係合凹部７０の縦壁（端部係合凹部６０の縦壁６０１で代表して説明する）がバッテリパック支持部２９５の傾斜面５９ｄ、６６ｄにほぼ沿い、かつバッテリパック支持部２９５の頂部２９Ｐが端部係合凹部６０および中央係合凹部７０にバッテリパック１９の下方から対向するように近付ける。
【００７３】
なお、図１１に関して説明したとおり、リブ７１は部分７１１、７１２とからなり、リブ７２は部分７２１、７２２からなる。また、バッテリパック支持部２９５の頂部は頂部５９Ｐと６６Ｐとからなる。
【００７４】
図１８Ａ、図１９Ａに示した姿勢では、バッテリパックカバー２８は端子台２９の奥側（車体左側であってオス側端子６３が設けられている側）を覆っているだけで、バッテリパック支持部２９５は覆っていないので、作業者は、端部係合凸部５９と端部係合凹部６０との相対位置関係を明確に視認することができる。
【００７５】
次に、図１８Ａ、１９Ａに示した姿勢からバッテリパック１９を支えている手を少し緩めると、バッテリパック１９は、傾斜面５９ｄ、６６ｄに沿って縦壁６０１を滑り、下降して図１８Ｂ、図１９Ｂに示した位置に移動する。図１８Ｂ、図１９Ｂの姿勢では、バッテリパック支持部２９５の頂部２９Ｐが端部係合凹部６０の最上部に達しており、バッテリパック１９の底部の隅（車体右側に位置する隅）をカットして形成している面１９ｃがバッテリパック支持部２９５の棚６７の上面に当接する。
【００７６】
したがって、この位置では作業者がバッテリパック１９を支持している手をさらに緩めても軽く支えているだけでバッテリパック１９は端子台２９上に仮置きされる。比較的重量が大きいバッテリパック１９の取り付け作業中に、一旦バッテリパック１９を掴んでいる手を緩めることができるのは、取り付け作業の負担を軽減させる点で有効である。
【００７７】
次に、傾斜姿勢で仮置きされているバッテリパック１９を車体左側方向に起こして直立させる操作をする。この操作中は、図１８Ｃ、１９Ｃに示すように、端部係合凹部６０における角部６０ａを支点にして端子台２９に対するバッテリパック１９の姿勢が変わり、端子台２９の棚６７から面１９ｃが離れる。図１８Ｃ、図１９Ｃに示した位置では、端子台２９上に突出しているオス側端子６３がバッテリパック１９のメス側端子７３を収容している絶縁ブロック７４に係合し始める。オス側端子６３の先端は車体左側つまりバッテリパック挿入方向における奥側を面取りして、オス側端子６３の先端が絶縁ブロック７４の開口角部（メス側端子７３に対する差し込み口にオス側端子６３を案内する開口の角部）に突き当たるのを防止するようにしている。オス側端子６３の詳しい形状は図２１、２３等に関して後述する。
【００７８】
図１８Ｄ、図１９Ｄでは、バッテリパック１９が端子台２９上に着座している。この位置では、バッテリパック１９の底面はベース２９１の上面に当接し、オス側端子６３はメス側端子７３と電気的に接触している。この位置では、バッテリパック１９の取っ手３４の前壁７６に形成された係合孔６２がロック装置３２のロックピン３２３と対向する。そこで、ロック装置３２のキー孔にキーを差し込んで所定のロック位置に回わすと、ロックピン３２３が突出して係合孔６２に嵌合するので、バッテリパック１９は端子台２９上にあって、自動二輪車１のメインフレーム３にロックされる。
【００７９】
バッテリパック１９が端子台２９上に着座した位置では、バッテリパック支持部２９５の中間係合凸部６６の頂部６６Ｐから張り出しているストッパ６６Ｅが、リブ７１に形成される部分７１１、７１２の連結部７１３と、リブ７２に形成される部分７２１、７２２の連結部７２３（図１１参照）の内周面（上側面）に係合して、バッテリパック１９の上下方向位置が規制されている。
【００８０】
さらに、端子台２９上におけるバッテリパック１９のベース２９１の上面に平行な方向での位置は、端部係合凸部５９、５９および中央係合凸部６６に対する端部係合凹部６０、６０および中央係合凹部７０のそれぞれの当接部で規制されるとともに、バッテリケース２０の前部分２０Ｆの底部に形成された切り欠き７５と、端子台２９上の突起部２９ａとの嵌合によっても規制される。
【００８１】
バッテリパック１９を端子台２９およびバッテリパックカバー２８から取り外す際には、上記動作を逆にさかのぼる。つまり、ロック装置３２をキーで操作してロックピン３２３を係合孔６２から引き抜く。これによって、バッテリパック１９は車体右側に傾斜可能になるので、取っ手３４を持ってバッテリパック１９の上側を車体右側に傾斜させて上方に引き上げれば、バッテリパック１９を自動二輪車１から取り外すことができる。
【００８２】
図２０はオス側端子ユニットの正面図（車体右側から見た図）、図２１はオス側端子ユニットの斜視図（車体後方右下側から見た図）、図２２はオス側端子ユニットの平面図、図２３はオス側端子ユニットの側面図（車体前方から見た図）である。図２０〜図２３において、オス側端子６３は複数（ここでは５本）設けられ、自動二輪車１への取り付け状態で車体前後方向に整列して配置される。
【００８３】
複数のオス側端子６３のうち、２本はバッテリパック１９のプラス側とマイナス側とにそれぞれ接続されるパワー端子６３ａ、６３ｅであり、残りは信号線に接続される信号線用端子６３ｂ、６３ｃ、６３ｄである。パワー端子６３ａ、６３ｅは、それらの先端が信号線用端子６３ｂ、６３ｃ、６３ｄの先端より高い位置になるように設置される。つまりパワー端子６３ａ、６３ｅの方が、信号線用端子６３ｂ、６３ｃ、６３ｄよりも突き出し長さが長くなるように設定する。これにより、端子接続時には電源がつながった後に信号回路がつながり、端子遮断時には信号回路が切れた後に電源が切れるため、端子の耐久性向上に寄与する。パワー端子６３ａ、６３ｅの寸法は熱容量を考慮して決定しており、信号線用端子６３ｂ、６３ｃ、６３ｄはパワー端子６３ａ、６３ｅと同じ寸法のものを使用してもよいし、パワー端子６３ａ、６３ｅよりも小型のものとしてもよい。
【００８４】
図２３に示すように、オス側端子６３の先端は、車幅方向左側の角６３ｆがオス側端子６３の長さ方向に対して角度θで斜めにカットされ、車体後方視で先細り形状に形成されている。信号線用端子は３本に限定されず、必要に応じて増減してもよいし、個数を例えば５本に固定しておき、自動二輪車１の車種やグレード等、必要に応じて全部または一部だけを使用するようにしてもよい。
【００８５】
オス側端子６３は、絶縁板６４を直交する方向に貫通して設けられ、絶縁板６４から下方に位置している部分にはハーネス６５から分岐した電線６５１、６５２または信号線６５３、６５３、６５３が接続される。
【００８６】
絶縁板６４は、端子台２９に形成される開口２９１に嵌る主部分６４１と、主部分６４１から車体右側に張り出して端子台２９の上部ガイド２９８とに挟まれる右側縁６４２と、主部分６４１から車体左側に張り出していて、端子台２９から延在するストッパ３００に係合させる左側縁６４３とを有する。左側縁６４３には凹部６４４が形成されており、ストッパ３００の先端がこの凹部６４４を回避して絶縁板６４の下部ガイド３０１の上側に回り込み、ストッパ３００と端子台２９の下部ガイド３０１とで絶縁板６４が挟み込まれて固定される（図８、図９を併せて参照）。
【００８７】
図２４はメス側端子７３を収容している絶縁ブロック７４を車体の右下前方から見た斜視図、図２５は同左上後方から見た斜視図、図２６は絶縁ブロック７４をメス側端子７３の接触部における車体左側から見た断面図である。
【００８８】
図２４〜図２６において、絶縁ブロック７４の上部には複数のオス側端子６３（６３ａ〜６３ｅ）が差し込まれる複数の（この例では５つの）開口部７４５が形成されている。開口部７４５は矩形であって、奥に位置するメス側端子７３に向かって開口面積が狭まっているテーパ面を有している。開口部７４５の、開口面積が狭まっている側にメス側端子７３が位置しており、メス側端子７３は図２６に示すように差し込まれるオス側端子６３を２方向から挟み込むための２つの接触部６３２と接触部６３２から上側に延在し、電線７７１、７７２または信号線７７３と接続される接続部６３３を有している。繁雑さを避けるため、接続部６３２、６３３は車体前後方向両端のもののみ符号を付している。
【００８９】
開口部７４５を取り囲む部分の外周には、バッテリケース２０の底部に形成される開口１０３の周縁を下室２０Ｂの内側および外側から挟持するフランジ部７４１、７４２が形成される。フランジ部７４１、７４２で挟まれた部分７４３は、開口１０３の内縁に一致するように寸法が設定される。
【００９０】
次に、バッテリパック１９と端子台２９との位置関係に対応するオス側端子６３とメス側端子７３との位置関係を説明する。図２７Ａ〜２７Ｅはオス側端子６３とメス側端子７３との位置関係を示す車体後方から見た断面図である。まず、図２７Ａでは、メス側端子７３を収容した絶縁ブロック７４を車体右側斜め上よりオス側端子６３に接近させる。
【００９１】
図２７Ｂでは、オス側端子６３の先端が絶縁ブロック７４に一部分入り込んだ位置にある。絶縁ブロック７４の開口部７４５にはテーパが形成されているので、オス側端子６３の先端を斜めにカットして形成した角６３ｆと絶縁ブロック７４との間には大きいクリアランスＣＬ１が維持されている。
【００９２】
図２７Ｃでは、オス側端子６３の先端が絶縁ブロック７４内のメス側端子７３の端部（開口部７４５側端部）７３１に接触している。この位置では、オス側端子６３の角６３ｆと絶縁ブロック７４の開口部７４５のテーパ面とはほぼ平行である。
【００９３】
オス側端子６３の先端部分は最端部に向かって板厚が薄くなるようにつぶされていて、そのつぶされた形状の部分と板厚が維持されている部分との間は稜線６３ｈとなっている。
【００９４】
図２７Ｄでは、オス側端子６３の先端部分の稜線６３ｈがメス側端子７３の端部７３１とがほぼ平行になっている。このとき、オス側端子６３の角６３ｆと絶縁ブロック７４との間のクリアランスＣＬ２はクリアランスＣＬ１よりは小さくなっているが、オス側端子６３と絶縁ブロック７４とは接触してはいない。
【００９５】
図２７Ｅでは、バッテリパック１９が図１７Ｄに示した位置で端子台２９に乗っている状態での結合状態を示し、オス側端子６３はメス側端子７３に割り込んで接続が完了している。この状態で、オス側端子６３の一方側（車体左側）には、絶縁ブロック７４との間にクリアランスＣＬ３とＣＬ４とが維持され、オス側端子６３の他方側（車体右側）にも、クリアランスＣＬ３やＣＬ４よりは小さいが、クリアランスＣＬ５、ＣＬ６が維持されている。図２８に図２７Ｅの要部拡大図を示す。
【００９６】
バッテリケース２０の上部に形成される取っ手３４はバッテリパック１９の右側に偏って設けているので、バッテリセル収容部である中間室２０Ｍが自動二輪車１のメインフレーム３の直下に位置していればよく、取っ手３４そのものは、メインフレーム３の右側にあって、車体側面視でメインフレーム３と重なる位置まで上方に上げることができる。このように取っ手３４を上方に位置させることで中間室２０Ｍを大きくして、より多くのバッテリセルを収容することができる。
【００９７】
また、自動二輪車１のメインフレーム３はモノコック形式の簡単なものとしているが、これに限らず、ヘッドパイプ２から下方に延びてピボットプレート４の下端部に後端が接合されるアンダフレームを設けてもよい。
【００９８】
図２９はアンダフレームを設けた自動二輪車１の要部右側面図である。図２９においてアンダフレーム１０５の前方（車体前方向側）にはスキッドプレート１０６を設けることができる。スキッドプレート１０６は少なくともバッテリパック１９の前部下方を覆っていればよいが、アンダフレーム１０５の前方からモータケース２３にかけた範囲に設けるのがよい。自動二輪車１の前方および下方から飛びかかる小石、砂、泥、あるいは水等から、バッテリパック１９やモータケース２３を保護するためである。なお、アンダフレーム１０５を設けることにより、図２９に示すように、ＰＤＵ３３はブラケット３１ではなくアンダフレーム１０５に取り付けることができる。
【００９９】
また、図２９において、ロック装置３２を固定するロック装置支持ステー３０を車体後方に拡張させて、部分３０ａを形成し、この拡張部分３０ａにてバッテリパックカバー２８の上部を結合させることができる。これにより、バッテリパックカバー２８は下部でモータケース２３から延長されるバッテリパック保持ステー２７で支持させるとともに、上部をロック装置支持ステー３０に支持させることができる。
【０１００】
本発明は、上述の実施形態に限定されず、特許請求の範囲から逸脱することなく変形することが可能である。例えば、ロック装置３２は、手動でロックピンを進退させるものに限らず、例えば、ロックピンをソレノイドやモータ等のアクチュエータで駆動できるように構成し、このアクチュエータを、電子キーを使って遠隔操作するものであってもよい。
【０１０１】
さらに、ロック装置３２はバッテリパック１９の前部に配置するものに限らず、バッテリパック１９に対して車体後方寄りに配置するものであってもよい。その場合、ロックピン３２３の係合孔６２は、バッテリケース２０の前部分２０Ｆ側に設けるのではなく、バッテリケース１０の後部分２０Ｒｒ側に設ける。
【符号の説明】
【０１０２】
１…電動車両、  ３…車体フレーム、  ４…ピボットプレート、  ５…枢軸、  ７…スイングアーム、  １７…リヤクッション、  １８…駆動装置、  １９…バッテリパック（電源装置）、  ２０…バッテリケース、  ２１…電動モータ、  ２３…モータケース、  ２７…バッテリパック保持ステー、  ２８…バッテリパックカバー、  ２９…端子台、  ３０…ロック装置支持ステー、  ３２…ロック装置、  ３３…ＰＤＵ、  ３４…取っ手、  ６２…係合孔、  ７８…取っ手の掌握部、  ３２３…ロックピン（可動部）
【図１】
0005999914.tif 000002
【図２】
0005999914.tif 000003
【図３】
0005999914.tif 000004
【図４】
0005999914.tif 000005
【図５】
0005999914.tif 000006
【図６】
0005999914.tif 000007
【図７】
0005999914.tif 000008
【図８】
0005999914.tif 000009
【図９】
0005999914.tif 000010
【図１０】
0005999914.tif 000011
【図１１】
0005999914.tif 000012
【図１２】
0005999914.tif 000013
【図１３】
0005999914.tif 000014
【図１４】
0005999914.tif 000015
【図１５】
0005999914.tif 000016
【図１６】
0005999914.tif 000017
【図１７】
0005999914.tif 000018
【図１８Ａ】
0005999914.tif 000019
【図１８Ｂ】
0005999914.tif 000020
【図１８Ｃ】
0005999914.tif 000021
【図１８Ｄ】
0005999914.tif 000022
【図１９Ａ】
0005999914.tif 000023
【図１９Ｂ】
0005999914.tif 000024
【図１９Ｃ】
0005999914.tif 000025
【図１９Ｄ】
0005999914.tif 000026
【図２０】
0005999914.tif 000027
【図２１】
0005999914.tif 000028
【図２２】
0005999914.tif 000029
【図２３】
0005999914.tif 000030
【図２４】
0005999914.tif 000031
【図２５】
0005999914.tif 000032
【図２６】
0005999914.tif 000033
【図２７Ａ】
0005999914.tif 000034
【図２７Ｂ】
0005999914.tif 000035
【図２７Ｃ】
0005999914.tif 000036
【図２７Ｄ】
0005999914.tif 000037
【図２７Ｅ】
0005999914.tif 000038
【図２８】
0005999914.tif 000039
【図２９】
0005999914.tif 000040